(57)【要約】【課題】輝度が高い、輝度ばらつきが少ない、外形寸法が小さい、液晶表示装置を提供する。【解決手段】液晶セル２と、液晶セル２の下方に配置された導光板８と、液晶セル２と導光板８を支持する枠体１１と、導光板８の２つの側面に沿う様に枠体に配置された第１Ｌ字ランプ２１と、導光板８の２つの他の側面に沿う様に枠体に配置された第２Ｌ字ランプ２６とを備え、枠体１１に溝３１が形成され、１端が第１Ｌ字ランプ２１の第１電極２２に接続された第１リード線３２と、１端が第２Ｌ字ランプ２６の第２電極２７に接続された第２リード線３３とが共に、前記溝３１に収納された。【選択図】図２
2006145729.tif 000002
【特許請求の範囲】
【請求項１】
液晶セルと、前記液晶セルの下方に配置された導光板と、前記液晶セルと前記導光板を支持する枠体と、前記導光板の２つの側面に沿う様に前記枠体に配置された第１Ｌ字ランプと、前記導光板の２つの他の側面に沿う様に前記枠体に配置された第２Ｌ字ランプとを備え、前記枠体に溝が形成され、１端が前記第１Ｌ字ランプの第１電極に接続された第１リード線と、１端が前記第２Ｌ字ランプの第２電極に接続された第２リード線とが共に、前記溝に収納された事を特徴とする液晶表示装置。
【請求項２】
前記第１電極と前記第２電極は近接して配置され、前記第１リード線および前記第２リード線は、前記第１Ｌ字ランプまたは前記第２Ｌ字ランプに沿う様に、略Ｌ字状の前記溝に収納された事を特徴とする請求項１の液晶表示装置。
【請求項３】
前記溝は下方に開放した凹状に形成され、前記第１リード線と前記第２リード線は、前記溝の上下方向に位置し、前記溝に密着され又は圧縮される様に収納された事を特徴とする請求項２の液晶表示装置。
【請求項４】
前記第１Ｌ字ランプの第３電極および前記第２Ｌ字ランプの第４電極に近接し、かつ前記溝に連通する様に、前記枠体に第１孔および第２孔が形成され、前記第１リード線の他端近傍および前記第２リード線の他端近傍は各々、前記第１孔および前記第２孔を通って、前記枠体の外に位置する事を特徴とする請求項２の液晶表示装置。
【請求項５】
前記第１リード線および前記第２リード線は共に、接地線である事を特徴とする請求項２の液晶表示装置。
【請求項６】
１端が前記第３電極に接続され、他端近傍が前記第１孔を通って前記枠体の外に位置する第３リード線と、１端が前記第４電極に接続され、他端近傍が前記第２孔を通って前記枠体の外に位置する第４リード線とを設けた事を特徴とする請求項４の液晶表示装置。
【請求項７】
前記第１孔および前記第２孔の近傍に複数の肉厚部を設け、前記肉厚部を除いた部分に窪み部を設け、前記肉厚部の高さは前記枠体の高さと略同一に設けられ、前記第１リード線と前記第２リード線と前記第３リード線と前記第４リード線の各他端近傍は、各肉厚部の隙間に位置する前記窪み部に配置されている事を特徴とする請求項６の液晶表示装置。
【発明の詳細な説明】
【技術分野】
【０００１】
本発明は液晶表示装置に関する。
【背景技術】
【０００２】
従来、この種の装置は例えば、特許文献１の図５に示されている。この図５によると、液晶セル３１と、その下に拡散板１７と、その下に導光板１１が設けられている。導光板１１の２つの側面に沿って、Ｌ字ランプ１３が配置されている。枠体２０には、液晶セル３１と、拡散板１７と、導光板１１と、リード線１４ａ，１４ｂ等が収納、固定されている。
【特許文献１】特開平７−２３９４１８号公報
【発明の開示】
【発明が解決しようとする課題】
【０００３】
上記装置３０では、Ｌ字ランプ１３が導光板１１の２つの側面のみを照光しているのでテレビ等の表示装置としては、輝度が低い、第１の欠点がある。また、２つの側面のみを照光するので、輝度ばらつきが大きい、第２の欠点がある。
【０００４】
この欠点を解消するために、本発明者は、導光板の２つの側面を照光する第１Ｌ字ランプと、導光板の２つの他の側面を照光する第２Ｌ字ランプとを設けた。そして、第１Ｌ字ランプおよび第２Ｌ字ランプに沿う様に、Ｌ字状の第１溝および第２溝を枠体に設けた。第１Ｌ字ランプに接続された第１リード線を第１溝に収納し、第２Ｌ字ランプに接続された第２リード線を第２溝に収納した。この様に、第１溝および第２溝を形成するので、枠体の外形が大きくなり、液晶表示装置の外形（縦×横）が大きくなる、第３の欠点がある。
【０００５】
そこで、本発明はこの様な従来の欠点を考慮し、輝度が高い、輝度ばらつきが少ない、外形寸法が小さい、液晶表示装置を提供する。
【課題を解決するための手段】
【０００６】
上記課題を解決するために、請求項１の本発明では、液晶セルと、前記液晶セルの下方に配置された導光板と、前記液晶セルと前記導光板を支持する枠体と、前記導光板の２つの側面に沿う様に前記枠体に配置された第１Ｌ字ランプと、前記導光板の２つの他の側面に沿う様に前記枠体に配置された第２Ｌ字ランプとを備え、前記枠体に溝が形成され、１端が前記第１Ｌ字ランプの第１電極に接続された第１リード線と、１端が前記第２Ｌ字ランプの第２電極に接続された第２リード線とが共に、前記溝に収納された。
【０００７】
請求項２の本発明では、前記第１電極と前記第２電極は近接して配置され、前記第１リード線および前記第２リード線は、前記第１Ｌ字ランプまたは前記第２Ｌ字ランプに沿う様に、略Ｌ字状の前記溝に収納された。
【０００８】
請求項３の本発明では、前記溝は下方に開放した凹状に形成され、前記第１リード線と前記第２リード線は、前記溝の上下方向に位置し、前記溝に密着され又は圧縮される様に収納された。
【０００９】
請求項４の本発明では、前記第１Ｌ字ランプの第３電極および前記第２Ｌ字ランプの第４電極に近接し、かつ前記溝に連通する様に、前記枠体に第１孔および第２孔が形成され、前記第１リード線の他端近傍および前記第２リード線の他端近傍は各々、前記第１孔および前記第２孔を通って、前記枠体の外に位置するものである。
【００１０】
請求項５の本発明では、前記第１リード線および前記第２リード線は共に、接地線であるものとする。
【００１１】
請求項６の本発明では、１端が前記第３電極に接続され、他端近傍が前記第１孔を通って前記枠体の外に位置する第３リード線と、１端が前記第４電極に接続され、他端近傍が前記第２孔を通って前記枠体の外に位置する第４リード線とを設けた。
【００１２】
請求項７の本発明では、前記第１孔および前記第２孔の近傍に複数の肉厚部を設け、前記肉厚部を除いた部分に窪み部を設け、前記肉厚部の高さは前記枠体の高さと略同一に設けられ、前記第１リード線と前記第２リード線と前記第３リード線と前記第４リード線の各他端近傍は、各肉厚部の隙間に位置する前記窪み部に配置されている。
【発明の効果】
【００１３】
請求項１の本発明では、液晶セルと、液晶セルの下方に配置された導光板と、液晶セルと導光板を支持する枠体と、導光板の２つの側面に沿う様に枠体に配置された第１Ｌ字ランプと、導光板の２つの他の側面に沿う様に枠体に配置された第２Ｌ字ランプとを備え、枠体に溝が形成され、１端が第１Ｌ字ランプの第１電極に接続された第１リード線と、１端が第２Ｌ字ランプの第２電極に接続された第２リード線とが共に、溝に収納された。この様に、導光板の２つの側面に沿って第１Ｌ字ランプを設け、導光板の２つの他の側面に沿って第２Ｌ字ランプを設ける。その結果、導光板の４つの側面に対し照光するので、導光板の上方に位置する液晶セルは輝度が高く、輝度ばらつきが少ない。更に、第１リード線および第２リード線を同一の溝に収納させるので、溝は従来の様に、２ケ所も必要がなく、それ故に、装置を小型化できる。
【００１４】
請求項２の本発明では、第１電極と第２電極は近接して配置され、第１リード線および第２リード線は、第１Ｌ字ランプまたは第２Ｌ字ランプに沿う様に、略Ｌ字状の溝に収納された。この様に、第３リード線および第４リード線に比べ、比較的長い第１リード線および第２リード線を、略Ｌ字状の溝に収納するので、同一の溝に収納し、装置を小型化する効果は更に高まる。
【００１５】
請求項３の本発明では、溝は下方に開放した凹状に形成され、第１リード線と第２リード線は、溝の上下方向に位置し、溝に密着され又は圧縮される様に収納された。この様に第１リード線および第２リード線を溝の上下方向に並べることにより、溝の幅寸法を小さくできる。また、第１リード線および第２リード線を溝に密着または圧縮させて収納する事により、上記リード線は確実に溝の中に収納できる。その結果、第１リード線または第２リード線が溝からはみ出して、裏板に挟まれる事を防止できる。
【００１６】
請求項４の本発明では、第１Ｌ字ランプの第３電極および第２Ｌ字ランプの第４電極に近接し、かつ溝に連通する様に、枠体に第１孔および第２孔が形成され、第１リード線の他端近傍および第２リード線の他端近傍は各々、第１孔および第２孔を通って、枠体の外に位置する。この様に構成する事により、第１リード線の他端近傍および第２リード線の他端近傍は、溝を通って各々、第１孔および第２孔を通る。その結果、第１リード線の他端近傍および第２リード線の他端近傍が溝からはみ出して、裏板に挟まれる事を防止できる。
【００１７】
請求項５の本発明では、第１リード線および第２リード線は共に、接地線であるものとする。この様に、第３リード線および第４リード線に比べ、比較的長い第１リード線および第２リード線を接地線とする事により、漏れ電流を少なくできる。何故ならば、高電圧が印加される第３リード線および第４リード線は、近傍に位置する導体に対し、漏れ電流が発生するからである。
【００１８】
請求項６の本発明では、１端が第３電極に接続され、他端近傍が第１孔を通って枠体の外に位置する第３リード線と、１端が第４電極に接続され、他端近傍が第２孔を通って枠体の外に位置する第４リード線とを設けた。この様に構成する事により、高電圧が印加される第３リード線と、第４リード線の両者を遠ざける事ができ、漏れ電流を少なくする事ができる。
【００１９】
請求項７の本発明では、第１孔および第２孔の近傍に複数の肉厚部を設け、肉厚部を除いた部分に窪み部を設け、肉厚部の高さは枠体の高さと略同一に設けられ、第１リード線と第２リード線と第３リード線と第４リード線の各他端近傍は、各肉厚部の隙間に位置する窪み部に配置されている。上記構成により、第１リード線と第２リード線と第３リード線と第４リード線の各他端近傍は、隣接する肉厚部に挟まれる。その結果、例えば、作業者が作業中に、上記各リード線の他端を引っ張っても、各他端近傍は各肉厚部の存在により、直接に引っ張り力を受けない。その結果、第１電極と第１リード線との接続個所、第２電極と第２リード線との接続個所、第３電極と第３リード線との接続個所、第４電極と第４リード線との接続個所は、上記引っ張り力の影響が少なくなる。
【発明を実施するための最良の形態】
【００２０】
以下に、図１ないし図６に従い、本発明を実施するための最良の形態に係る液晶表示装置１を説明する。図１は液晶表示装置１の背面図である。図２は液晶表示装置１から、裏板と反射板を外した状態の背面図である。図３は図２のＢ部詳細図、図４は図２のＣ部詳細図である。図５は図２のＡ１−Ａ２断面図である。ただし、裏板と反射板を取り付けた状態を示す。図６は液晶表示装置１の正面図である。
【００２１】
液晶セル２は例えば、素子基板と対向基板との間に液晶を挟持してなる。素子基板は横方向（Ｘ１−Ｘ２）に延在する複数の走査線と、縦方向（Ｙ１−Ｙ２）に延在する複数のデータ線が形成されている。各データ線と各走査線との交差に対応して、スイッチング素子として機能するＴＦＴが設けられている。
【００２２】
ＴＦＴのゲート電極は走査線に、そのソース電極はデータ線に、そのドレイン電極は画素電極に接続されている。対向基板には、Ｒ，Ｇ，Ｂのカラーフィルタが設けられ、そのカラーフィルタに接続して、共通電極が設けられている。共通電極には、所定の電圧が印かされている。以上の部品により、液晶セル２は構成されている。
【００２３】
駆動部はデータ線駆動回路と走査線駆動回路とタイミング制御器（いずれも図示せず）等からなる。データ線駆動回路の各入力端子には、画像信号と第１タイミング信号等が入力される。データ線駆動回路の各出力端子は液晶セル２の各データ線に接続されている。
【００２４】
走査線駆動回路の入力端子には、第２タイミング信号等が入力される。走査線駆動回路の各出力端子は、液晶セル２の各データ線が接続されている。
【００２５】
ＤＣ−ＤＣコンバータの入力側は電源部（共に図示せず）に接続されている。ＤＣ−ＤＣコンバータの出力側は各部品に接続され、所定の直流電圧を供給する。電源部は商用電源（例えば交流１００ボルト）に接続され、所定の直流電圧を供給する。
【００２６】
第１インバータ（図示せず）の入力側は電源部に接続され、出力側はコネクタ（図示せず）に接続されている。このコネクタは第１コネクタ３（図１と図６を参照）に接続されている。第２インバータの入力側は電源部に接続され、出力側は、コネクタ（共に図示せず）に接続されている。このコネクタは第２コネクタ４（図１と図６を参照）に接続されている。
【００２７】
図５に示す様に、液晶セル２の下方（Ｚ１方向）には、第１拡散板５と、レンズフィルム６と、第２拡散板７が配置されている。
【００２８】
導光板８は例えばアクリル樹脂等からなり、略直方体状のものである。導光板８は背面から見ると（図２参照）、４個の隅が切り欠かれている。導光板８は第２拡散板７の下方に配置されている。導光板８の下方には、反射板９が配置されている。
【００２９】
裏板１０は例えば金属板等からなり、平面部および４つの側面部から構成されている。各側面部は上方（Ｚ２方向）に延び、各側面部の適所に、外側に向いた凸部（図示せず）が形成されている。
【００３０】
枠体１１は例えばプラスチックからなり、中央が開放された額縁状に形成されている。枠体１１の突出部１２は、上記額縁の中央に近い部分である。液晶セル２の周縁近傍の底面は、突出部１２の上面に当接している。導光板８の周縁近傍の上面は、突出部１２の底面に当接している（図５参照）。
【００３１】
前面枠１３は例えば金属板等からなり、中央に開口部１４が形成された額縁状に形成されている。前面枠１３は、上記額縁および４つの側面部から構成されている。上記額縁部には、４つのリブ１５が形成され、そのリブ１５が枠体１１の上面に当接する様に形成されている（図５と図６を参照）。
【００３２】
前面枠１３の４つの側面には、四角状の孔が形成されている。裏板１０の側面部に形成された凸部が、枠体１１の上記孔に挿入され、固定されている。
【００３３】
この様に、前面枠１３と裏板１０を固定する事により、液晶セル２と、第１拡散板５とレンズフィルム６と、第２拡散板７と、導光板８と、反射板９と、枠体１１は、前面枠１３と裏板１０により挟まれて、固定されている（図５参照）。即ち、液晶セル２の下方に配置された導光板８と、液晶セル２および導光板８を支持する枠体１１とが設けられている。
【００３４】
背面から見ると（図２参照）、枠体１１には、逆Ｌ字状の第１窪み部１６が形成されている。断面図から見ると（図５参照）、第１窪み部１６は、突出部１２の底面と内側の側面とに囲まれた部分である。背面から見ると（図３参照）、窪み部３４は左下隅に位置する様に形成されている。
【００３５】
背面から見ると（図２参照）、枠体１１には、逆Ｌ字状の第２窪み部１８が形成されている。断面図から見ると、第２窪み部１８は、突出部１２の底面と、内側の側面とに囲まれた部分である。
【００３６】
リフレクタ１９，１９ａは光反射性物質からなり、断面して見れば（図５参照）、逆Ｌ字状に形成されている。リフレクタ１９，１９ａは、接着剤（図示せず）により、第１窪み部１６の内面に固定されている。
【００３７】
リフレクタ２０，２０ａは、光反射性物質からなり、断面して見れば、逆Ｌ字状に形成されている。リフレクタ２０，２０ａは接着剤（図示せず）により、第２窪み部１８の内面に固定されている。
【００３８】
第１Ｌ字ランプ２１は例えば、冷陰極管等からなる。第１Ｌ字ランプ２１は背面から見れば（図２参照）、逆Ｌ字状に形成されている。第１Ｌ字ランプ２１は導光板８の２つの側面（右側面と下側面）に沿う様に、枠体１１に形成された第１窪み部１６内に配置されている(図２と図５を参照)。
【００３９】
第１Ｌ字ランプ２１の１つの端面から、第１電極２２が、外側に突出して設けられている。第１Ｌ字ランプ２１の他の端面から、第３電極２３が、外側に突出して設けられている。
【００４０】
ホルダ２４は例えばゴム等からなり、外側が略直方体状であり、中央が中空状に形成されている。ホルダ２４の右上には突出部が設けられ、第１リード線（後述）が挿入される孔が形成されている。ホルダ２４の下側は、第１Ｌ字ランプ２１の１つの端面近傍が挿入されている。この様にして、ホルダ２４の外側は、枠体１１に形成された第１窪み部１６に挿入され、固定されている。
【００４１】
ホルダ２５は例えばゴム等からなり、外側が略直方体状であり、中央が中空状に形成されている。ホルダ２５の左側も中空状に形成されている。ホルダ２５の左側から、第３リード線（後述）が挿入される様に、形成されている。ホルダ２５の右側は、第１Ｌ字ランプ２１の他端近傍が挿入されている。この様にして、ホルダ２５の外側は、枠体１１に形成された第１窪み部１６に挿入され、固定されている。
【００４２】
第２Ｌ字ランプ２６は例えば、冷陰極管等からなる。第２Ｌ字ランプ２６は背面から見れば（図２参照）、逆Ｌ字状に形成されている。第２Ｌ字ランプ２６は導光板８の２つの他の側面（左側面と上側面）に沿う様に、枠体１１に形成された第２窪み部１８内に配置されている(図２を参照)。
【００４３】
第２Ｌ字ランプ２６の１つの端面から、第２電極２７が、外側に突出して設けられている。第２Ｌ字ランプ２６の他の端面から、第４電極２８が、外側に突出して設けられている。
【００４４】
ホルダ２９は例えばゴム等からなり、外側が略直方体状であり、中央が中空状に形成されている。ホルダ２９の右上には突出部が設けられ、第２リード線（後述）が挿入される孔が形成されている。ホルダ２９の左側は、第２Ｌ字ランプ２６の１つの端面近傍が挿入されている。この様にして、ホルダ２９の外側は、枠体１１に形成された第２窪み部１８に挿入され、固定されている。
【００４５】
ホルダ３０は例えばゴム等からなり、外側が略直方体状であり、中央が中空状に形成されている。ホルダ３０の上側も中空状に形成されている。ホルダ３０の左下から、第４リード線（後述）が挿入される様に、形成されている。ホルダ３０の上側は、第２Ｌ字ランプ２６の他端近傍が挿入されている。この様にして、ホルダ２６の外側は、枠体１１に形成された第２窪み部１８に挿入され、固定されている。
【００４６】
溝３１は断面して見れば（図５参照）、下方（Ｚ１方向）が開放した略凹状に形成されている。溝３１は背面から見れば（図２参照）、第１窪み部１６に沿う様に形成されている。
【００４７】
第１リード線３２は例えば、複数の細い導線と、それを覆う絶縁被覆部とから形成されている。第１リード線３２の１つの端付近および他端付近は絶縁被覆部が除かれている。
【００４８】
第２リード線３３は例えば、複数の細い導線と、それを覆う絶縁被覆部とから形成されている。第２リード線３３の１つの端付近および他端付近は絶縁被覆部が除かれている。
【００４９】
図２と図４に示す様に、絶縁被覆部が除かれた第１リード線３２の導線は、カシメまたは半田付けにより、第１Ｌ字ランプ２１に設けられた第１電極２２に接続されている。この様にして、第１リード線３２の１端は、第１Ｌ字ランプ２１の第１電極２２に接続されている。
【００５０】
第１リード線３２の１端近傍は、ホルダ２４の右上に形成された突出部の孔を通り、下方向（Ｙ２方向）に曲げられ、第１リード線３２は枠体１１に形成された溝３１に収納されている。
【００５１】
図２と図４に示す様に、絶縁被覆部が除かれた第２リード線３３の導線は、カシメまたは半田付けにより、第２Ｌ字ランプ２６に設けられた第２電極２７に接続されている。この様にして、第２リード線３３の１端は、第２Ｌ字ランプ２６の第２電極２７に接続されている。
【００５２】
第２リード線３３の１端近傍は、ホルダ２９の右上に形成された突出部の孔を通り、右方向（Ｘ１方向）に曲げられ、直進し、その後に下方向（Ｙ２方向）の曲げられ、第２リード線３３は枠体１１に形成された溝３１に収納されている。
【００５３】
この様にして、第１電極２２と第２電極２７は近接して配置され、第１リード線３２および第２リード線３３は、第１Ｌ字ランプ２１に沿う様に、略Ｌ字状の溝３１に収納されている。
【００５４】
また、図２と異なり、必要に応じて、第１リード線３２および第２リード線３３は、第２Ｌ字ランプ２６に沿う様に、略Ｌ字状の溝３１ａ（図示せず）に収納されても良い。
【００５５】
また、図５に示す様に、枠体１１の溝３１は、厚みの下方（Ｚ１方向）に開放した凹状に形成されている。第１リード線３２と第２リード線３３は、溝３１の上下方向（Ｚ１−Ｚ２方向）に位置している。
【００５６】
第１リード線３２と第２リード線３３は、溝３１に密着され、又は圧縮される様に収納されている。即ち、溝３１の幅の大きさＤは、第１リード線３２および第２リード線３３の各線径以下に設けられている。
【００５７】
図３に示す様に、窪み部３４は背面から見て、枠体１１の左下隅部に形成されている。窪み部３４の深さ位置は、溝３１の深さ位置Ｅと同一である（図５参照）。
【００５８】
第３リード線３６は例えば、複数の細い導線と、それを覆う絶縁被覆部とから形成されている。第３リード線３６の１端付近と他端付近は、上記絶縁被覆部が除かれている。
【００５９】
第４リード線３７は例えば、複数の細い導線と、それを覆う絶縁被覆部とから形成されている。第４リード線３７の１端付近と他端付近は、上記絶縁被覆部が除かれている。
【００６０】
第１Ｌ字ランプ２１の第３電極２３および第２Ｌ字ランプ２６の第４電極２８に近接しかつ溝３１および窪み部３４に連通する様に、枠体１１に第１孔３８および第２孔３９が形成されている。
【００６１】
溝３１を過ぎた第１リード線３２の他端近傍３２ａ（図３において、第３リード線３６の下方に位置している）は、第１孔３８を通って、枠体１１の外に位置している。
【００６２】
この他端近傍３２ａは第１チューブ４０内を通り、第１リード線３２の他端付近につながる。この他端付近は、第１接続ピン（図示せず）に電気的接続されている。この第１接続ピンは第１コネクタ３（図１参照）の下側に固定されている。
【００６３】
同様に、溝３１を過ぎた第２リード線３３の他端近傍３３ａは、Ｙ１方向に延び、左に曲がり（この部分は図３において、第４リード線３７の下方に位置している）、第２孔３９を通って、枠体１１の外に位置している。
【００６４】
この他端近傍３３ａは第２チューブ４１内を通り、第２リード線３３の他端付近につながる。この付近は、第２接続ピン（図示せず）に電気的接続されている。この第２接続ピンは第２コネクタ４（図１参照）の下側に位置している。
【００６５】
なお、この第１リード線３２および第２リード線３３は共に接地線であり、第１コネクタ３および第２コネクタ４を介して、接地電位に接続される。
【００６６】
図２と図３に示す様に、絶縁被覆部が除かれた第３リード線３６の導線は、カシメまたは半田付けにより、第１Ｌ字ランプ２１に設けられた第３電極２３に接続されている。この様に、第３リード線３６の１端は、第３電極２３に接続されている。
【００６７】
絶縁被覆部が除かれた第４リード線３７の導線は、カシメまたは半田付けにより、第２Ｌ字ランプ２６に設けられた第４電極２８に接続されている。この様に、第４リード線３７の１端は、第４電極２８に接続されている。
【００６８】
第３リード線３６の他端近傍は、枠体１１の第１孔３８を通り、枠体１１の外に位置している。第４リード線３７の他端近傍は、枠体１１の第２孔３９を通り、枠体１１の外に位置している。
【００６９】
第３リード線３６の他端近傍は第１チューブ４０内を通り、第３リード線３６の他端付近につながっている。この他端付近は、第３接続ピン（図示せず）に電気的接続されている。この第３接続ピンは第１コネクタ３（図１参照）の上側に位置している。
【００７０】
第４リード線３７の他端近傍は第２チューブ４１内を通り、第４リード線３７の他端付近につながっている。この他端付近は、第４接続ピン（図示せず）に電気的接続されている。この第４接続ピンは第２コネクタ４の上側に位置している。
【００７１】
図３に示す様に、第１孔３８および第２孔３９の近傍に、複数の肉厚部４２，４３，４４，４５が形成されている。肉厚部４２，４３，４４，４５の高さは、枠体１１の高さＦ（図５参照）と略同一である。
【００７２】
枠体１１の左下部において、肉厚部４２，４３，４４，４５を除いた部分に、窪み部３４が形成されている。窪み部３４の深さ位置は、溝３１の深さ位置Ｅと略同一の高さである（図５参照）。
【００７３】
第１リード線３２の他端近傍３２ａと、第２リード線３３の他端近傍３３ａと、第３リード線３６の他端近傍と、第４リード線３７の他端近傍は、各肉厚部４２，４３，４４，４５の隙間に位置する窪み部３４に配置されている。
【００７４】
即ち、第１リード線３２の他端近傍３２ａは、肉厚部４４，４５に挟まれた窪み部３４に位置している。第２リード線３３の他端近傍３３ａは、肉厚部４２，４３に挟まれた窪み部３４に位置している。第３リード線３６の他端近傍は、肉厚部４５，４３に挟まれた窪み部３４に位置している。第４リード線３７の他端近傍は、肉厚部４２，４３に挟まれた窪み部３４に位置している。
【００７５】
また、駆動部を構成するデータ線駆動回路は例えばＴＣＰ（Ｔａｐｅ  ＣａｒｒｉｅｒＰａｃｋａｇｅ）からなる。データ線駆動回路の１側は液晶セル２に固定され、他側は裏板１０に固定されている。絶縁シート４６は、上記データ線駆動回路を覆う様に、配置されている。以上の部品により、この液晶表示装置１は構成されている。
【図面の簡単な説明】
【００７６】
【図１】本発明を実施するための最良の形態に係る液晶表示装置１の背面図である。
【図２】液晶表示装置１から、裏板と反射板を外した状態の背面図である。
【図３】図２のＢ部詳細図である。
【図４】図２のＣ部詳細図である。
【図５】図２のＡ１−Ａ２断面図である。ただし、裏板と反射板を取り付けた状態を示す。
【図６】液晶表示装置１の正面図である。
【符号の説明】
【００７７】
２  液晶セル
８  導光板
１１  枠体
２１  第１Ｌ字ランプ
２２  第１電極
２６  第２Ｌ字ランプ
２７  第２電極
３１  溝
３２  第１リード線
３３  第２リード線
【図１】
2006145729.tif 000003
【図２】
2006145729.tif 000004
【図３】
2006145729.tif 000005
【図４】
2006145729.tif 000006
【図５】
2006145729.tif 000007
【図６】
2006145729.tif 000008